【手続補正書】
【提出日】平成26年2月4日(2014.2.4)
【手続補正１】
【補正対象書類名】特許請求の範囲
【補正対象項目名】全文
【補正方法】変更
【補正の内容】
【特許請求の範囲】
【請求項１】
画像処理装置とネットワークを介して通信可能なファクシミリサーバであって、
前記画像処理装置から送信ジョブを受信する受信手段と、
前記受信手段が前記送信ジョブを受信した後に、当該受信した送信ジョブが正常に終了しているか否かを判断する判断手段と、
前記判断手段による判断の結果、前記受信した送信ジョブが正常に終了していないと判断された場合に、前記受信した送信ジョブを実行する送信手段と、
前記判断手段による判断の結果、前記受信した送信ジョブが正常に終了していると判断された場合に、前記受信した送信ジョブをキャンセルするキャンセル手段と、
を備えることを特徴とするファクシミリサーバ。
【請求項２】
前記画像処理装置に記憶されている情報を取得する取得手段を更に備え、
前記判断手段は、前記取得手段が取得する情報に基づいて前記判断を行うことを特徴とする請求項１に記載のファクシミリサーバ。
【請求項３】
前記取得手段が取得する情報は、ジョブ履歴情報であることを特徴とする請求項２に記載のファクシミリサーバ。
【請求項４】
前記取得手段は、前記ファクシミリサーバが障害から復帰したときに前記情報の取得を行うことを特徴とする請求項２または３に記載のファクシミリサーバ。
【請求項５】
前記取得手段は、前記ファクシミリサーバの起動時に前記情報の取得を行うことを特徴とする請求項２または３に記載のファクシミリサーバ。
【請求項６】
前記受信した送信ジョブが正常に終了していると判断される場合とは、他のファクシミリサーバによって送信ジョブが実行された場合であることを特徴とする請求項１乃至５のいずれか１項に記載のファクシミリサーバ。
【請求項７】
画像処理装置と、当該画像処理装置とネットワークを介して通信可能な複数のファクシミリサーバとを含むファクシミリシステムであって、
前記画像処理装置は、
前記複数のファクシミリサーバに対して送信ジョブの実行を要求する要求手段と、
前記要求手段が要求した送信ジョブの履歴情報を管理する管理手段と、
を備え、
前記複数のファクシミリサーバに含まれる１つのファクシミリサーバは、
前記画像処理装置から送信ジョブを受信する受信手段と、
前記受信手段が前記送信ジョブを受信した後に、前記管理手段に管理されている履歴情報を取得する取得手段と、
前記取得手段が取得した履歴情報に基づいて、前記受信した送信ジョブが正常に終了しているか否かを判断する判断手段と、
前記判断手段による判断の結果、前記受信した送信ジョブが正常に終了していないと判断された場合に、前記受信した送信ジョブを実行する送信手段と、
前記判断手段による判断の結果、前記受信した送信ジョブが正常に終了していると判断された場合に、前記受信した送信ジョブをキャンセルするキャンセル手段と、
を備えることを特徴とするファクシミリシステム。
【請求項８】
画像処理装置とネットワークを介して通信可能なファクシミリサーバの制御方法であって、
前記画像処理装置から送信ジョブを受信する受信工程と、
前記受信工程で前記送信ジョブを受信した後に、当該受信した送信ジョブが正常に終了しているか否かを判断する判断工程と、
前記判断工程における判断の結果、前記受信した送信ジョブが正常に終了していないと判断された場合に、前記受信した送信ジョブを実行する送信工程と、
前記判断工程における判断の結果、前記受信した送信ジョブが正常に終了していると判断された場合に、前記受信した送信ジョブをキャンセルするキャンセル工程と、
を備えることを特徴とするファクシミリサーバの制御方法。
【請求項９】
画像処理装置と、当該画像処理装置とネットワークを介して通信可能な複数のファクシミリサーバとを含むファクシミリシステムにおける通信制御方法であって、
前記画像処理装置において、
前記複数のファクシミリサーバに対して送信ジョブの実行を要求する要求工程と、
前記要求工程で要求した送信ジョブの履歴情報を管理する管理工程と、
を備え、
前記複数のファクシミリサーバに含まれる１つのファクシミリサーバにおいて、
前記画像処理装置から送信ジョブを受信する受信工程と、
前記受信工程で前記送信ジョブを受信した後に、前記管理工程で管理された履歴情報を取得する取得工程と、
前記取得工程で取得した履歴情報に基づいて、前記受信した送信ジョブが正常に終了しているか否かを判断する判断工程と、
前記判断工程における判断の結果、前記受信した送信ジョブが正常に終了していないと判断された場合に、前記受信した送信ジョブを実行する送信工程と、
前記判断工程における判断の結果、前記受信した送信ジョブが正常に終了していると判断された場合に、前記受信した送信ジョブをキャンセルするキャンセル工程と、
を備えることを特徴とする通信制御方法。
【請求項１０】
コンピュータを請求項１乃至６のいずれか１項に記載のファクシミリサーバの各手段として機能させるためのプログラム。
【手続補正２】
【補正対象書類名】明細書
【補正対象項目名】発明の名称
【補正方法】変更
【補正の内容】
【発明の名称】ファクシミリサーバ、ファクシミリサーバの制御方法、ファクシミリシステム、ファクシミリシステムにおける通信制御方法、及びプログラム
【手続補正３】
【補正対象書類名】明細書
【補正対象項目名】０００１
【補正方法】変更
【補正の内容】
【０００１】
本発明は、画像処理装置から受信した送信ジョブを実行するファクシミリサーバに関するものである。
【手続補正４】
【補正対象書類名】明細書
【補正対象項目名】０００６
【補正方法】変更
【補正の内容】
【０００６】
本発明は、上記の課題を解決するためになされたもので、本発明の目的は、画像処理装置が複数のファクシミリサーバに対して送信ジョブの実行を要求した場合に、送信ジョブが重複して実行されることを防止する仕組みを提供することを目的とする。
【手続補正５】
【補正対象書類名】明細書
【補正対象項目名】０００７
【補正方法】変更
【補正の内容】
【０００７】
上記目的を達成する本発明のファクシミリサーバは、画像処理装置とネットワークを介して通信可能なファクシミリサーバであって、前記画像処理装置から送信ジョブを受信する受信手段と、前記受信手段が前記送信ジョブを受信した後に、当該受信した送信ジョブが正常に終了しているか否かを判断する判断手段と、前記判断手段による判断の結果、前記受信した送信ジョブが正常に終了していないと判断された場合に、前記受信した送信ジョブを実行する送信手段と、前記判断手段による判断の結果、前記受信した送信ジョブが正常に終了していると判断された場合に、前記受信した送信ジョブをキャンセルするキャンセル手段と、を備えることを特徴とする。
【手続補正６】
【補正対象書類名】明細書
【補正対象項目名】０００８
【補正方法】変更
【補正の内容】
【０００８】
本発明によれば、画像処理装置が複数のファクシミリサーバに対して送信ジョブの実行を要求した場合に、送信ジョブが重複して実行されることを防止することができる。
【手続補正７】
【補正対象書類名】明細書
【補正対象項目名】００３８
【補正方法】変更
【補正の内容】
【００３８】
つまり、ＦＡＸプライマリサーバに障害が発生した場合、当該ＦＡＸプライマリサーバが通信可能な状態に復旧する際に、復旧前に受け付けたジョブの処理を終了する場合とジョブの処理を再開する場合とがある。